(57)【要約】【課題】レバー式調圧弁を内装したベーパライザについて、調圧弁系部品における振動の拡大を回避して笛吹き音の発生を防止する。【解決手段】調圧室３への燃料導入部に調圧弁を備え、この調圧弁をホルダ４で軸支された弁レバー５の動作で開閉することにより、調圧室３にガス燃料を導入し所定圧力に減圧・調整して送出するベーパライザ１Ａにおいて、ホルダ４の下面と調圧室３のホルダ取付け面との間に、振動の伝達を緩衝する防振板８を挟装した状態でホルダ４が取付けネジ７，７によりベーパライザボディ２側に固定した。【選択図】図１
2009144645.tif 000002
【特許請求の範囲】
【請求項１】
調圧室への燃料導入部に備えた調圧弁をホルダで軸支された弁レバーの動作で開閉することにより、ガス燃料を前記調圧室に導入して所定圧力に減圧・調整して送出するベーパライザにおいて、前記ホルダの下面と前記調圧室のホルダ取付け面との間に、振動の伝達を緩衝する防振板を挟装させた状態で前記ホルダが取付けネジによりベーパライザボディ側に固定されていることを特徴とするベーパライザ。
【請求項２】
前記防振板の素材が弾性を有するゴムであることを特徴とする請求項１に記載したベーパライザ。
【発明の詳細な説明】
【技術分野】
【０００１】
本発明は、ベーパライザに関し、殊に、レバー式調圧弁を内装し液状のガス燃料を所定圧力の気化ガスに減圧・調整してガスエンジンに送出する、ベーパライザに関する。
【背景技術】
【０００２】
ガス燃料を用いたエンジンのベーパライザは、燃料貯留容器から供給されたＬＰＧなどの高圧で液状のガス燃料を加熱して気化させ、所定の制御圧力に減圧・調整してインジェクタに供給する。このようなベーパライザとして、例えば特開２００３―２３２２６５号公報に記載され、図３の縦断面部分図に示すような調圧室３を有したベーパライザ１Ｂが知られている。
【０００３】
このベーパライザ１Ｂの調圧室３には、燃料導入路の開口部に設けた弁シート５ｂに密着して塞ぐ弁体５ａが弁レバー５の一端側に設けられ、この弁レバー５の他端側が調圧室３と図示しない背圧室とを区画する図示しないダイヤフラムの中央部に連結されており、ベーパライザボディ２側に取付けネジ７，７で固定されたホルダ４が、この弁レバー５を軸ピン６を介して軸支することでレバー式の調圧弁を構成している。
【０００４】
そして、エンジンの駆動に従い調圧室３内のガス燃料が送出されることにより下流側の圧力が低下すると、図示しないダイヤフラムが調圧室３側に変位して弁レバー５の一端側を押し、これにより他端側の弁体５ａをリフトさせて開弁させて、高圧のガス燃料を調圧室３内に導入し内部圧力を上げるようになっており、圧力差で変位するダイヤフラムで圧力を一定に維持する方向に作動される調圧弁として機能するようになっている。
【０００５】
このような構成のベーパライザ１Ａでは、ガス燃料を減圧気化する際に調圧弁系の部品が振動部となりやすく、振動が拡大することにより内部通路に共鳴して笛吹き音等の騒音が発生することがある。その対策のため、ペーパライザ１Ａの内部通路にスペーサ等を挿入して通路長又は通路径を変えることにより、音の周波数適合を行うことに加え、調圧弁の構成部品である軸ピン６とホルダ４とをカシメ固定することにより軸ピン６が振動することを回避して、笛吹き音の発生を防止することが行われている。
【０００６】
しかし、この対策においても、ホルダ４をベーパライザボディ２側に固定する取付けネジ７に使用過程で締め付けトルクの低下が発生したような場合には、軸ピン７に振動が発生しやすい状態となって、笛吹き音を発生させてしまう結果となる。
【特許文献１】特開２００３―２３２２６５号公報
【発明の開示】
【発明が解決しようとする課題】
【０００７】
本発明は、上記のような問題点を解決しようとするものであり、レバー式調圧弁を内装したベーパライザについて、調圧弁系部品における振動の拡大を回避して笛吹き音の発生を防止することを課題とする。
【課題を解決するための手段】
【０００８】
そこで、本発明は、調圧室への燃料導入部に備えた調圧弁をホルダで軸支された弁レバーの動作で開閉することにより、ガス燃料を前記調圧室に導入して所定圧力に減圧・調整して送出するベーパライザにおいて、前記ホルダの下面と前記調圧室のホルダ取付け面との間に、振動の伝達を緩衝する防振板を挟装させた状態で前記ホルダが取付けネジによりベーパライザボディ側に固定した。
【０００９】
ベーパライザの笛吹き音の原因として、調圧弁系部品のうちホルダの取付けネジの締め付けトルク低下に由来する軸ピンの振動が挙げられるが、このようにベーパライザボディとの間に防振板を挟装した状態で取付けネジによりホルダを固定することで、取付けネジが緩んだ場合でもベーパライザボディとホルダとの間において、固定状態における緩みを最小限にするとともに振動の伝達・拡大を緩衝して、軸ピン等の調圧弁系部品における振動の拡大を回避することができる。
【００１０】
また、このベーパライザにおいて、その防振板の素材が弾性を有するゴムを用いると、低コストで優れた防振機能を長期間に亘って発揮できるものとなる。
【発明の効果】
【００１１】
弁レバーを軸支するホルダの下面とベーパライザボディのホルダ取付け面との間に防振板を挟装した本発明のベーパライザによると、調圧弁系部品における振動の拡大を有効に回避して、笛吹き音の発生を防止することができる。
【発明を実施するための最良の形態】
【００１２】
以下に、図面を参照しながら本発明を実施するための最良の形態を説明する。
【００１３】
図１は、本発明の実施の形態であるベーパライザ１Ａの調圧室３を中心とした縦断面部分図を示すものであり、ベーパライザ１Ａは、貯留容器（燃料ボンベ）に充填したＬＰＧ等のガス燃料を導入して気化させ、所定の使用圧力に減圧・調整してガスエンジンに送出・供給するためのものであり、そのガス燃料供給システムにおいて配設されるものである。
【００１４】
ベーパライザ１Ａの調圧室３には、上述したベーパライザ１Ｂと同様に、弁シート５ｂに密着して燃料導入路の開口部を塞ぐ弁体５ａが弁レバー５の一端側に設けられ、この弁レバー５の他端側が調圧室３と背圧室とを区画する図示しないダイヤフラムの中央部に連結されており、ベーパライザボディ２の調圧室３のホルダ取付け位置に取付けネジ７，７で固定されたホルダ４が、この弁レバー５を軸ピン６を介して軸支することによりレバー式の調圧弁を構成している。
【００１５】
このベーパライザ１Ａの作用を説明すると、調圧室３上流の高圧燃料室内でエンジン冷却水等により熱交換されて気体となったガス燃料が、弁レバー５の一端に設けた弁体５ａを開閉することにより、燃料導入路を通じて高圧のガス燃料を減圧・調整して保持する調圧室３内に流入させる。
【００１６】
この調圧室３内では、燃料の使用により減圧して内部圧力が所定の値よりも低下すると、これを図示しないダイヤフラムが感知して変位することにより弁レバー５の一端側を押し下げ、他端側の弁体５ａを持ち上げて開弁させる。反対に圧力が所定の値よりも上昇すると弁体５ａを下げて閉弁させ、所定圧力を維持するようになっている。尚、斯かる機能についても上述したベーパライザ１Ｂと共通している。
【００１７】
そして、本実施の形態のベーパライザ１Ａにおいて、弁レバー５を軸支するためのホルダ４が、その下面と調圧室３のホルダ取付け面との間に、ゴムなどの弾性素材で作成され振動の伝達を緩衝する部品である防振板８を挟装した状態として、ベーパライザボディ２側に取付けネジ７，７により固定されている。
【００１８】
図２（Ａ）は、その防振板８の斜視図を示しているが、その形状はホルダ４の下面形状にほぼ一致しており、左右に取付けネジ７，７を挿通するネジ穴８ｂ，８ｂを有しているとともに、燃料導入路を挿通させる切り欠き８ａを中央部に有している。また、その厚さは、振動を緩衝するのに充分な厚さを有しており、その素材として、安価で弾性に富む天然ゴムや合成ゴムを使用することが、成型の容易さ、耐久性、製造コストの観点で推奨される。
【００１９】
このような防振板８は、図２（Ｂ）の調圧弁部分の平面部分図において、破線で示すような状態でホルダ４下面と調圧室３底壁のホルダ取付け面との間に隙間なく挟装されるものであり、防振板８が隙間無く密着していることで、ホルダ４は防振板８を介した状態であっても取付けネジ７，７によりベーパライザボディ２側に安定した状態で固定される。
【００２０】
そして、斯かる防振板８を備えたベーパライザ１Ａは、取付けネジ７，７の締め付けトルクが低下した場合であっても、従来例のベーパライザ１Ｂにおいて軸ピン６が振動しやすくなっていたのと異なり、弾性を有する防振板８が、ホルダ４とベーパライザボディとの間で、取付け状態における緩みを最小限に抑えるとともに振動の伝達・拡大を緩衝するように作用する。これにより、軸ピン６等の調圧弁系部品が振動することを有効に回避して、笛吹き音の発生を防止することができる。
【００２１】
以上、述べたように、レバー式調圧弁を有したベーパライザについて、本発明により、調圧弁系部品における振動の拡大を有効に回避して、笛吹き音の発生を防止できるようになった。
【図面の簡単な説明】
【００２２】
【図１】本発明における実施の形態のベーパライザ調圧弁部分を中心とした縦断面部分図。
【図２】（Ａ）は図１のベーパライザの防振板の詳細を示す斜視図、（Ｂ）はその取付け状態を示す平面部分図。
【図３】従来例のベーパライザを示す縦断面部分図。
【図４】図３のベーパライザのホルダの取付け状態を示す平面部分図。
【符号の説明】
【００２３】
１Ａ  ベーパライザ、２  ベーパライザボディ、３  調圧室、４  ホルダ、５  弁レバー、６  軸ピン、７  取付けネジ、８  防振板
【図１】
2009144645.tif 000003
【図２】
2009144645.tif 000004
【図３】
2009144645.tif 000005
【図４】
2009144645.tif 000006